(57)【特許請求の範囲】
【請求項１】
隣接する遊技台の前方領域の下部を仕切る下部仕切り板であって、
仕切り板本体を備え、
前記仕切り板本体が、
前記仕切り板本体の左側の遊技者の足又はその大型荷物を載置する足元台、及び前記仕切り板本体の右側の遊技者の肘又はその小型荷物を載置するテーブルの少なくとも１つを有していることを特徴とする下部仕切り板。
【請求項２】
前記仕切り板本体が、隣接する遊技台同士の間にあって前記仕切り板本体よりも前記遊技台が設置されている遊技島の側にある奥側の足元空間を仕切る足元仕切り板を更に有し、
前記足元仕切り板が前記仕切り板本体に対して固定的、折り畳み可能、摺動可能又は着脱可能に設けられることを特徴とする請求項１に記載の下部仕切り板。
【請求項３】
前記足元台が前記仕切り板本体に対して回動可能に設けられることを特徴とする請求項１に記載の下部仕切り板。
【請求項４】
前記テーブルが前記仕切り板本体及び前記遊技台の膳板に対して固定的に設けられることを特徴とする請求項１に記載の下部仕切り板。
【請求項５】
前記テーブルが前記仕切り板本体に対し回動可能に設けられており、かつ、前記遊技台の膳板に対して係合可能に設けられることを特徴とする請求項１に記載の下部仕切り板。
【請求項６】
前記仕切り板本体に設けられ、前記遊技台に対して遠ざかる方向に延びるように形成される羽根部を備えることを特徴とする請求項１に記載の下部仕切り板。
【発明の詳細な説明】
【技術分野】
【０００１】
本発明は、下部仕切り板に関する。
【背景技術】
【０００２】
パチンコやパチスロ等が設置された遊技ホールでは、遊技に集中してもらうため、遊技者ごとに快適な遊技空間を提供している。例えば、特許文献１には、仕切手段を利用して利用者が楽な姿勢で遊技が行なえるように、隣接する遊技台間となる位置から下端を床、側端を遊技台側の部材に固定した腰壁の高さ前後の仕切り手段（下部仕切り板）を前方へ突設させ、遊技台と椅子及び仕切り手段とによって１個の遊技台用空間を構成したことを特徴とする遊技台用ブースが記載されている。そして、特許文献１では、遊技台同士の台間にタバコの煙を遮蔽する煙遮蔽板（上部仕切り板）を設けたときには、仕切り手段（下部仕切り板）は、煙遮蔽板（上部仕切り板）の直下となるように位置決めされている。
【０００３】
しかしながら、特許文献１では、仕切り手段（下部仕切り板）が設けられているものの、遊技台の下方の奥側の足元空間は開放されているままであり、隣接する遊技者同士の仕切りが十分ではなく、隣の遊技者の足の動きが気になり、個室感が害されるという問題があった。また、遊戯者の遊技する右側の手を置く肘掛部は設けられているものの、左側の手を置く台はなく、さらに、足置き台も設けられておらず、特に長時間遊技している間の遊技環境としては必ずしも高くないという問題があった。
【先行技術文献】
【特許文献】
【０００４】
【特許文献１】実用登録第３１３６４３２号公報
【発明の概要】
【発明が解決しようとする課題】
【０００５】
本発明は、上記のような事情に鑑みなされたものであり、遊技者が占有できる遊技空間内において、個室感が高く、より良い遊技環境を提供可能な下部仕切り板を提供することを目的とする。
【課題を解決するための手段】
【０００６】
上記課題を解決するため、（１）本発明に係る第１の観点は、隣接する遊技台の前方領域の下部を仕切る下部仕切り板であって、仕切り板本体と、を備え、前記仕切り板本体が、隣接する遊技台同士の足元空間を仕切る足元仕切り板、遊技者の足又はその大型荷物を載置する足元台、及び遊技者の肘又はその小型荷物を載置するテーブルの少なくとも１つを有していることを特徴とする。
【０００７】
（２）上記（１）において、前記足元仕切り板は、前記仕切り板本体に対して折り畳み可能、摺動可能又は着脱可能に設けられてもよい。
【０００８】
（３）上記（１）において、前記足元台は、前記仕切り板本体に対して回動可能に設けられてもよい。
【０００９】
（４）上記（１）において、前記テーブルは、前記仕切り板本体及び前記遊技台の膳板に対して固定的に設けられてもよい。
【００１０】
（５）上記（１）において、前記テーブルは、前記仕切り板本体に対し回動可能に設けられ、かつ、前記遊技台の膳板に対して係合可能に設けられてもよい。
（６）上記（１）において、前記仕切り板本体の側部に設けられ、前記遊技台に対して遠ざかる方向に延びるように形成される羽根部を備えてもよい。
【発明の効果】
【００１１】
本発明によれば、遊技者が占有できる遊技空間内において、個室感が高く、より良い遊技環境を提供可能な下部仕切り板を提供することができる。
【図面の簡単な説明】
【００１２】
【図１】本実施形態に係る下部仕切り板が配置された遊技島を示す斜視図である。
【図２】図１の下部仕切り板を右側からから拡大して示す斜視図である。
【図３】図１の下部仕切り板を左側からから拡大して示す斜視図である。
【図４】本実施形態に係る下部仕切り板に足元仕切り板を展開した状態を示す図である。
【図５】本実施形態に係る下部仕切り板に足元台を展開した状態を示す図である。
【図６】本実施形態に係る下部仕切り板にテーブルを展開した状態を示す図である。
【発明を実施するための形態】
【００１３】
以下、添付図面を参照して、本発明を実施するための形態（以下、実施形態）について詳細に説明する。以降の図においては、実施形態の説明の全体を通して同じ要素には同じ番号又は符号を付している。
【００１４】
図１に示すように、遊技ホールには、複数の遊技島Ａが配置され、遊技島Ａごとに複数の遊技台Ｂが設置されている。本実施形態に係る下部仕切り板１は、隣接する遊技台Ｂの前方領域の下部を仕切るものである。この下部仕切り板１は、前面が遊技台Ｂの枠体とほぼ同じ位置となるように各遊技台Ｂの台間に配置される上部仕切り板Ｃの床方向に設置されている。遊技台Ｂの前面には膳板Ｄが位置している。
【００１５】
上部仕切り板Ｃは、遊技台Ｂ同士の台間に設けられた取付枠ＣＡ１に固定された分煙ボードＣＡを備えており、下部仕切り板１は、仕切り板本体１０、羽根部１１、テーブル２０、肘置き３０、足元仕切り板８０、足元台９０を備えている。以下、各別に説明する。
【００１６】
（上部仕切り板）
まず、上部仕切り板Ｃについて、説明する。図１に示すように、上部仕切り板Ｃは、隣接する遊技台Ｂの間の台間に設けられた取付枠ＣＡ１に設置されており、隣接する遊技台Ｂの前方領域の上部を仕切っている。上部仕切り板Ｃは、分煙や音漏れの防止などの役割を果たす。
【００１７】
ここでは、上部仕切り板Ｃとして、１枚の分煙ボードＣＡを取付枠ＣＡ１に固定的に構成した場合を示しているが、上部仕切り板Ｃは、これに限らず、遊技島Ａの構成、遊技台Ｂの配置、台間の距離などを勘案して、種々の態様を採用してもよい。例えば、上部仕切り板Ｃを摺動可能に構成してもよく、その場合、２枚の分煙ボードＣＡから構成して双方とも摺動可能にしたり、２枚の分煙ボードＣＡのうち台間に近い方の分煙ボードＣＡを台間に固定して遠い方の分煙ボードＣＡを摺動可能にしたりすることができる。このほかにも、１枚の分煙ボードＣＡを取付枠ＣＡ１に対し回動可能又は折畳み可能にとしてもよいし、２枚の分煙ボードＣＡのうち遠い方の分煙ボードＣＡを近い方の分煙ボードＣＡに対し回動可能又は折畳み可能に取り付けてもよい。
【００１８】
なお、分煙ボードＣＡの形状、寸法などは、図示されたものに限定されることはなく、遊技ホール等のニーズに合わせて種々選択することができる。また、その材質は軽量で丈夫なものであればよいが、遊技者の動作や遊技ホール等のメンテナンスなどの便宜のため、硬すぎないものが好ましい。
【００１９】
（下部仕切り板）
次に、下部仕切り板１について、説明する。前述したように、下部仕切り板１は、仕切り板本体１０、羽根部１１、テーブル２０、肘置き３０、足元仕切り板８０、足元台９０を備えている。ここで、羽根部１１は、仕切り板本体１０の略上半分の手前側を仕切るものである。テーブル２０は、下部仕切り板１の右側の遊技者の左手（左肘）又はその小型荷物を載置するものである。肘置き３０は、下部仕切り板１の左側の遊技者の右手（右肘）を載置するものである。足元仕切り板８０は、隣接する遊技台Ｂ同士の奥側の足元空間を仕切るものである。足元台９０は、下部仕切り板１の左側の遊技者の足又はその大型荷物を載置するものである。
【００２０】
ここでは、テーブル２０、足元仕切り板８０、足元台９０をいずれも備えた例を示しているが、これらをすべて備える必要はなく、遊技ホールの集客方針やスペース、レイアウトなどの諸条件を考慮に入れ、少なくとも１つが設けられているようにすればよい。以下では、仕切り板本体１０、羽根部１１、肘置き３０及び仕切り板本体１０の付属的部材についてまず説明し、足元仕切り板８０、足元台９０、テーブル２０については、項をあらためて後述する。
【００２１】
（（仕切り板本体））
仕切り板本体１０は、図２及び図３に示すように、板形状に形成されており、金属やアルミニウムによって構成され、その周囲は塗装が施されている。仕切り板本体１０に複数の穴を設けて、通気性を確保するようにしてもよい。仕切り板本体１０には、物を掛けるフック６０（図３参照）や、傘、洋服収納容器又はメダル収納容器等を保持する保持部（不図示）を設けることができる。なお、仕切り板本体１０は、樹脂製の素材によって構成することもできる。
【００２２】
（（羽根部））
仕切り板本体１０には樹脂製の羽根部１１が設けられている。羽根部１１は、仕切り板本体１０の側部に設けられていることが好ましい。この羽根部１１は、遊技台Ｂに対して遠ざかる方向（遊技者から見て手前側）に延びるよう形成されており、下部の一部は接触を避けるための切欠部１１ｃ（図２参照）が形成されている。この切欠部１１ｃが有ることによって、後述する椅子Ｅを回転させたときに、椅子Ｅや遊技者の足が羽根部１１に接触することを防ぐことができる。
【００２３】
羽根部１１は、遊技者が接触した時に破損し、あるいは遊技者が怪我を負わないようにするため、一定程度の強度と弾性を有する素材であることが好ましい。これらの条件を満たすためにはアクリル製のボード、例えば、エラストマー性樹脂が含有される素材を使用するのが好ましい。エラストマー性樹脂は、数あるプラスチックの中でもゴム的な性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００２４】
羽根部１１の形状又は大きさは、遊技店に設置される隣接する遊技島Ａとの間隔や、遊技台Ｂの台間に設置される上部仕切り板Ｃの形状、及び大きさに応じて適宜変更可能である。なお、羽根部１１と、仕切り板本体１０は一体成形されていてもよい。
【００２５】
ここでは、羽根部１１は、仕切り板本体１０にネジ（不図示）によって取り付けた例を示している。羽根部１１は、ネジを緩めることによって取り外すことができることから、大きい羽根部と小さい羽根部とを用意しておき、必要に応じて大きい羽根部と小さい羽根部を選択的に仕切り板本体１０に取付ることができる。
【００２６】
羽根部１１には、図２及び図３に示すように、広告用パネルＰを収容する収容部１１ａが形成されており、収容部１１ａに収容された広告用パネルＰを保持する保持爪１１ｂ（保持部）が設けられている。保持爪１１ｂにそって広告用パネルＰを収容部１１ａに収容させていき、広告用パネルＰすべてを収容部１１ａに入れることができる。この構成によって広告用パネルＰを簡単に変更することができる。図に示す例では、羽根部１１の両側にそれぞれ広告用パネルＰを収容することができるように構成したが、両側に広告表示がなされた１枚の広告用パネルＰを一つ収容部に装着して、両側から視認することができるように構成することもできる。なお、広告用パネルＰを収容する収容部１１ａを羽根部に設ける例について説明したが、広告用パネルＰを収容する収容部１１ａを仕切り板本体１０に設けるようにしてもよい。
【００２７】
（（肘置き））
仕切り板本体１０には、仕切り板本体１０の左側の遊技者の側方と対向する面に肘置き３０が設けられる。肘置き３０は、特に遊技台Ｂがパチンコ台の場合、そのハンドルを操作する遊技者の右手（右肘）を載置して、右手（右肘）の疲労を軽減することができる。
【００２８】
ここでは図示していないが、肘置き３０は、左右及び／又は前後に摺動可能に設けてもよい。左右に摺動させる場合、肘置き３０の下側にプレートを、プレートに対応して仕切り板本体１０に取付金具を、それぞれ固定しておく。取付金具には、遊技者から左右方向に延びる長孔が形成されており、取付金具とプレートは、長孔を介してボルトによって取り付けられている。そうすることにより、ボルトを緩めることによって、プレートは取付金具に対して、左右方向に移動することができ、これによって、肘置き３０を遊技台Ｂからみて左右方向にスライドさせることができる。
【００２９】
また、前後に摺動させる場合、肘置き３０を、前述のプレートにスライドレールを介して取り付けておく。スライドレールは、それぞれネジを介して肘置き３０とプレートに固定されている。スライドレールは、バネ等の弾性部材によって元の位置に戻るように付勢力が与えられている。そうすることにより、スライドレールによって、遊技台Ｂの前後方向に肘置き３０をスライドさせることができる。これによって遊技者の負担を軽減することができるとともに、メンテナンス時には遊技台Ｂの扉の開閉をしやすくできる。
【００３０】
（（側部固定部））
仕切り板本体１０を膳板Ｄに取り付けるための側部固定部４０（図３参照）について説明する。側部固定部４０は、取付金具４０ａが設けられており、この取付金具４０ａには、複数の孔４０ｂが形成されている。取付金具４０ａは、膳板Ｄの下側に位置し、ネジを介して膳板Ｄに螺着固定される。テーブル２０が展開状態となったときにテーブル２０の上面と膳板Ｄの上面が略一致するように、仕切り板本体１０に対する取付金具４０ａの位置が決定されている。このように構成することで、テーブル２０と膳板Ｄを遊技者が一体的に使用することができる。
【００３１】
（（高さ調整部））
また、仕切り板本体１０には、その高さを遊技台Ｂのハンドルの高さに対して調整するために高さ調整部４１が設けられている。高さ調整部４１は、下部固定部４２を構成する取付金具４２ａから垂直方向に立設されたフレーム部４２ｃと、仕切り板本体１０とフレーム部４２ｃを固定するネジ（固定手段）４２ｄと、を有する。仕切り板本体１０は、端部が中空に形成されており、この端部に対してフレーム部４２ｃが摺動可能に構成されている。膳板Ｄの下部と取付金具４２ａの位置が決まると、フレーム部４２ｃと仕切り板本体１０の位置関係が決定する。
【００３２】
（（下部固定部））
また、仕切り板本体１０には、床に固定するための下部固定部４２が設けられている。下部固定部４２は、取付金具４２ａを有し、この取付金具４２ａには、複数の孔４２ｂが設けられている。上記高さ調整後、取付金具４２ａの孔４２ｂにアンカー等でホールの床に打ち付けることにより、下部仕切り板１を、床にしっかりと固定することができる。
【００３３】
続いて、本実施形態に係る足元仕切り板８０、足元台９０、テーブル２０について、説明する。
【００３４】
（足元仕切り板）
足元仕切り板８０は、図４に示すように、隣接する遊技台Ｂ同士の間にあって下部仕切り板１よりも遊技島Ａの側にある奥側の足元空間を仕切るものである。下部仕切り板１は、隣接する遊技台Ｂ同士で遊技する遊技者間の空間を仕切るものであるが、下部仕切り板１のみでは、一方の遊技者の足が隣接する他方の遊技台Ｂの側にはみ出ることがある。そうすると、他方の遊技者に不快感を与えてしまい、遊技に集中できず、楽しい遊技環境を保てなくなってしまう。足元仕切り板８０は、このような状況を防止するものである。
【００３５】
足元仕切り板８０は、仕切り板本体１０に対して、種々の態様で設けることができる。例えば、足元仕切り板８０は、仕切り板本体１０に固定的に取り付けてもよい。この場合は、隣接する遊技台Ｂ同士の遊技空間をあらかじめ仕切ることが可能となる。これに対し、遊技ホール側の営業方針又は遊技者の意向によって対応できるように、可動的に取り付けてもよい。例えば、足元仕切り板８０と仕切り板本体１０に係合部／被係合部を設けておくことによって足元仕切り板８０を仕切り板本体１０に対してワンタッチで取付け／取外しできるように着脱可能としてもよい。
【００３６】
さらには、足元仕切り板８０は、蝶番によって仕切り板本体１０に対して開閉できるように折り畳み可能に取り付けられてもよいし、仕切り板本体１０にレールを設けておくことによって仕切り板本体１０に対してスライドできるように摺動可能に取り付けられてもよい。なお、折り畳み可能とする場合、下部仕切り板１の両側から開閉できるように、仕切り板本体１０の両側に一対の足元仕切り板８０を設けてもよい。
【００３７】
（足元台）
足元台９０は、図５に示すように、下部仕切り板１の左側の遊技者の足又はその大型荷物を載置するものである。遊技ホールでは、高さを調節できない椅子Ｅが配置されていることもあれば、高さを調節できる椅子Ｅが配置されていることもあるが、体格特に身長の低い遊技者にとっては、遊技台Ｂの高さに手の位置を合わせると、足が床から浮いてしまうようなことも生じる。足が浮いた状態が長時間続くと、足の膝から下の重さを膝関節の靭帯や腱だけで支えなければならなくなり、その負担は無視できないものになる。ただでさえ重い足が動かないことでむくみ、さらに重みが増してしまって膝に痛みが走り、その後の歩行にも影響を残してしまう。足元台９０は、このような状況をフットレストとして防止するものである。
【００３８】
また、かばんやリュックなどの相対的に大型な荷物を持った状態で遊技ホールに来場した遊技者は、その大型荷物をロッカーに収納したり、遊技台Ｂの足元空間に置いたりした状態で遊技を行っているが、ロッカーに収納しない又はできない場合に、床に荷物を置きたくない遊技者にとっては、足元台９０を荷物の置き台としても活用できる。
【００３９】
足元台９０は、仕切り板本体１０に対して、種々の態様で設けることができる。例えば、足元台９０は、仕切り板本体１０に固定的に取り付けてもよいが、身長の異なる遊技者に対応するためには可動的に取り付けることが好ましい。可動的に取り付ける場合には、例えば、図３に示すように、足元台９０を仕切り板本体１０の下部に回動可能に取り付けておき、反対側の端部を上方向に折り畳むようにすれば不使用時に邪魔にならないで便利である。なお、遊技者が離席したときに、足元台９０又は床に置かれた荷物の盗難防止を図るため、足元台９０又は仕切り板本体１０にロック錠を設けておいてもよい。
【００４０】
（テーブル）
テーブル２０は、図６に示すように、下部仕切り板１の右側の遊技者の左肘又はその小型荷物を載置するものである。遊技台Ｂが特にパチンコ台の場合、遊技者は右手でハンドルを操作するが、その右手（右肘）のためには、前述したとおり、肘置き３０が設けられている。本実施形態では、これに加えて、ハンドルを操作しない側の左手（左肘）も置くことができるテーブル２０を設けたものである。空いている左手はいわゆる手持ち無沙汰の状態になっているが、案外、負担となるものであり、テーブル２０は、このような状況を防止するものである。
【００４１】
また、遊技者は、従来、遊技台Ｂの前面に位置している膳板Ｄに飲み物やタバコ、ケータイなどの小物（小型荷物）を置いて遊技をしているが、膳板Ｄの幅は狭いため、床に落下させることも稀ではない。本実施形態では、テーブル２０は、比較的大きな面積を有するように設定されており、大型のテーブルとして、これらの小物をゆとりをもって置くことができる。
【００４２】
テーブル２０は、仕切り板本体１０に対して、種々の態様で設けることができる。例えば、テーブル２０は、仕切り板本体１０に固定的に取り付けてもよいし可動的に取り付けてもよい。固定的に取り付けられる場合には、膳板Ｄ側の端部を膳板Ｄにも固定してよい。膳板Ｄに固定することにより、大きな荷重にも対応できるため、左手（左肘）を置くことに対応できる。また、固定されている状態を活用して、テーブル２０の下に、スライド型のテーブルや肘置きを収納できるようにしてもよいし、引出しなどのキャビネット様な構造を付加してもよい。
【００４３】
テーブル２０を仕切り板本体１０に可動的に取り付ける場合には、テーブル２０は、例えば仕切り板本体１０の上部に設けられた幅方向（水平方向）の回動軸（不図示）を中心として回動可能とされ、不使用時には仕切り板本体１０の内側に折り畳まれて収納される。このテーブル２０は収納状態から展開状態に展開させることができ、収納状態から展開状態に起こしたときに、テーブル２０を遊技台Ｂに対して前後方向にスライドさせることができる。仕切り板本体１０には仕切り板本体１０から突出し、テーブル２０の回動を規制するロック部２５（図２参照）が取り付けられている。このロック部２５によって、テーブル２０は、展開状態において回動軸方向にスライドさせたときにテーブル２０の回動が規制される。本実施形態では、ロック部２５に加えて、テーブル２０の膳板Ｄ側の端部を膳板Ｄに係合可能に構成されている。そうすることにより、テーブル２０を固定的に設けた場合と同じように、遊技者の左手（左肘）を載せたとしても、荷重に対応することができる。なお、テーブル２０には、切欠きやフックなどを設けて例えば傘を収納できるようにしてもよい。
【００４４】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４５】
１…下部仕切り板
１０…仕切り板本体
１１…羽根部
２０…テーブル
３０…肘置き
４０…側部固定部
４１…高さ調整部
４２…下部固定部
８０…足元仕切り板
９０…足元台
Ｃ…上部仕切り板
ＣＡ…分煙ボード
【図１】
0006753024.tif 000002
【図２】
0006753024.tif 000003
【図３】
0006753024.tif 000004
【図４】
0006753024.tif 000005
【図５】
0006753024.tif 000006
【図６】
0006753024.tif 000007